(57)【要約】【課題】軸部材の外周面に、ねじ溝が該軸部材の軸線を通る断面において左右対称であるねじをスレッドワーリング加工で形成するための切れ刃を有する切削インサートで、加工面精度の低下を招かず、加工の低コスト化を図る。【解決手段】切れ刃２１は、切削インサート１０の一側面部１６を逃げ面２６とし、その逃げ面における横逃げ角が０度となる共通の逃げ面２６として切削インサート１０の表裏の各面１２、１２側にすくい面２３を備えることとし、一側面部１６に２つの切れ刃２１を設けた。スレッドワーリング加工では、微小部分の断続切削となり、１回の切削後の切れ刃は、直前の切削による加工済みねじ溝の加工面から離れる動きとなるから、横逃げ角がなくとも加工面精度を低下させないので、横逃げ角を付けず、表裏に切れ刃２１を設けた切削インサート１０とすることで、加工面精度の低下を招かず、切れ刃強度をアップさせ得、加工の低コスト化を図れる。【選択図】図１
2018069442.tif 000002
【特許請求の範囲】
【請求項１】
軸部材の外周面に、該軸部材の軸線を通る断面において、ねじ山の幅方向の中心軸線に関して左右対称のねじ山を備えるねじを形成する切れ刃を備えるねじ切り用の切削インサートであって、
前記切れ刃を、切削インサートの一側面部側の表裏の両面にすくい面があり、該一側面部にその両すくい面をつなぐ方向において凹凸がなく連続する面である共通の逃げ面があり、かつその横逃げ面の逃げ角を０度として、該一側面部において表裏の両面にすくい面を有するものとして、２つ備えるものとしたことを特徴とする、スレッドワーリング加工によるねじ切り用の切削インサート。
【請求項２】
前記２つ切れ刃は、切れ刃形状及びすくい角が同じものであることを特徴とする請求項１に記載のスレッドワーリング加工によるねじ切り用の切削インサート。
【請求項３】
前記切れ刃は、すくい面において切れ刃の幅方向の中心において先後方向に引いた仮想直線に関して左右対称をなしていることを特徴とする請求項１又は２のいずれか１項に記載のスレッドワーリング加工によるねじ切り用の切削インサート。
【請求項４】
前記切削インサートは、すくい面側から見た該切削インサートの形状全体が、該切れ刃の幅方向の中心において先後方向に引いた仮想直線に関して左右対称をなし、該切削インサートはその表裏において同じ形状を呈していることを特徴とする請求項１〜３のいずれか１項に記載のスレッドワーリング加工によるねじ切り用の切削インサート。
【請求項５】
前記すくい面が、形成されるねじの谷を形成する切れ刃の先端から後方に向かうに従い低位となるポジのすくい角を有するものとされていることを特徴とする請求項１〜４のいずれか１項に記載のスレッドワーリング加工によるねじ切り用の切削インサート。
【請求項６】
請求項１〜５のいずれか１項に記載のスレッドワーリング加工によるねじ切り用の切削インサートを用いて、軸部材にスレッドワーリング加工によってねじ切りすることでおねじ部材を製造することを特徴とする、おねじ部材の製造方法。
【発明の詳細な説明】
【技術分野】
【０００１】
本発明は、スレッドワーリング加工によるねじ切り用の切削インサート（以下、ねじ切り用の切削インサート、又は単に切削インサートともいう）、及びこの切削インサートを用いるスレッドワーリング加工方法によるおねじ部材の製造方法に関する。
【背景技術】
【０００２】
軸部材（丸棒）の外周面におねじ（以下、「ねじ」ともいう）を形成する加工方法には種々のものがあり、その１つにスレッドワーリング加工方法がある（特許文献１）。この加工方法は、加工対象（ワーク）である軸部材（素材）を低速回転（例えば、５〜１０ｒｐｍ）させながら、その１回転で、形成するねじ（１条ねじ）の１リード分を軸線方向に送る一方、１又は複数の切削インサート（又はバイト）の切れ刃（刃先）を、軸部材の外径より大きく、それに内接するような円軌道で同じ回転方向に高速回転（例えば、２０００〜４０００ｒｐｍ）させ、その円軌道の１か所においてねじ山分の切り込みで断続切削を行うというものである。この加工方法によれば、１回の軸部材の送りでその先端から後方に向かう所定範囲にねじを切ることができる。なお、この加工法では、ねじのリード角に対応する方向の切削が得られるように、切れ刃が固定されて回転するカッタ本体には、断続切削される箇所において、ねじのリード角分の傾斜が付与されるように配置される。
【０００３】
このようなスレッドワーリング加工方法では、上記したように１回の送り（１パス）で、ねじを軸線方向の所定範囲に形成できるため、１つの切れ刃により、複数回の切り込み、横送りを伴う通常の旋削によるねじ加工（シングルポイント加工）に比べ、加工サイクルの短時間化を図ることができる。このため、スレッドワーリング加工方法は、ねじ山の高いねじやねじ長の長いねじ、或いはリードが大きいといった構造のねじ加工に用いられている。こうしたことから、かかるねじ構造を有する、例えば医療分野で用いられるボーンスクリューのように、それがチタンなどの難削材からなる連続切削に不向きなものの加工に適するなどから、近年、各種のねじ加工に使用されてきている。
【０００４】
ところで、上述したスレッドワーリング加工において使用される切削インサートにおいても、通常の旋削によるねじ加工において使用されるねじ切り用の切削インサートと同様に、その切れ刃（ねじ加工用切れ刃）には、加工対象のねじごと、そのねじ山（ねじ溝）に対応する切れ刃形状（例えば、三角ねじでは三角のノーズ形状）を有するものが使用される。また、そのねじ溝に対応する切れ刃に、隣り合う両側の２つのねじ山の頂部をさらうように設けられたサラエ刃付き切れ刃を有するものも使用されるし、２条ねじを１回の送りで加工することができるよう、２つのねじ溝を同時加工できる切れ刃を有するものも使用されるなど、通常の旋削によるねじ加工において使用される切削インサートと同様、加工、形成すべきねじ山形状等のねじ条件に応じた切れ刃形状のねじ切り用の切削インサートが使用されている。
【０００５】
このように、スレッドワーリング加工においても、使用する切削インサートは、通常の旋削によるねじ切りに用いられるものが使用されており、したがって、その切れ刃を形成する逃げ面（すくい面とで切れ刃を形成する面）には、ネジ切り加工において軸部材（被削材）との間で空隙が形成されるように適度の逃げ角が付けられたものが使用されていた。図８は、三角ねじのねじ切り（加工）に使用される切削インサート１０ｂの一例を示した部分斜視図であり、図９は、図８の切削インサートを各面（矢印Ａ１−Ａ３）から見た図等であって、Ａは、軸部材１００の外周面に、該軸部材１００の軸線Ｇｎを通る断面において、その三角ネジのねじ山１０５の幅方向の中心軸線Ｙｃに関して左右対称のネジ山を備えるねじ加工の説明用図であり、切れ刃２１をすくい面２３側から見た図（矢印Ａ１から見た図）である。そして、Ｂは、横逃げ面２６ａを見通すように見た図（矢印Ａ２から見た図）、Ｃは、前逃げ面２６ｍ側から見た図（矢印Ａ３から見た図）であり、Ｄは、Ａ，ＢのＳｂ−Ｓｂ断面図である。図８、図９に示されるように、切れ刃２１には、これを形成する逃げ面２６である横逃げ面２６ａ、前逃げ面２６ｍのそれぞれに適度の逃げ角（横逃げ角α、前逃げ角β）が付けられている（図９−Ｄ，Ｂ参照）。
【０００６】
このような逃げ角の付けられた切削インサート１０ｂが使用されるのは次の理由による。というのは、旋削によるねじ加工では、横送りにおいて連続切削となり、その全行程中、切れ刃２１を形成するすくい面（逃げ面とで切れ刃を形成する面）２３の周囲が、ねじ溝の形成面（加工面）に接触する上、前逃げ面２６ｍは別としても、横逃げ面２６ａに逃げ角（横逃げ角α）がなければ、或いは、横逃げ角αが付けられているとしても、その大きさが不十分な場合には、リード角にもよるが、特に切れ刃２１の進み側の横逃げ面２６ａが加工面に接触ないし干渉することから、加工面精度（仕上げ面粗度）を損なうことになるためである。このため、ねじ加工に使用される切れ刃には、通常、横逃げ面を含む逃げ面全体（前逃げ面及び横逃げ面）に適度（通常、３〜１０度）の逃げ角が付けられたものが使用されていた。これにより、スレッドワーリング加工に使用される切削インサート（以下、インサートともいう）についても、その切れ刃には、横逃げ面を含む逃げ面全体に、逃げ角が付けられたものが使用されているわけである。なお、横逃げ角α、前逃げ角βは、図９（Ｄ，Ｂ）中に示したように、それぞれ、旋削時において切れ刃２１に作用する主分力（切削抵抗）Ｆの発生方向に引いた直線ＦＬ、すなわち、切れ刃稜（刃先）から、図９（Ｄ，Ｂ）において上下に引いた仮想直線ＦＬと、各逃げ面とのなす角度である。
【０００７】
なお、本願において、横逃げ面とは、切れ刃をなす逃げ面のうち、ねじ加工において、軸線方向に送られる軸部材の進行方向を向く面、及びその反対向き面をいう。よって、台形ねじのように、ねじ（ねじ溝）の谷底が、ねじの軸線に平行であるため、その谷底を加工する前切れ刃がある切れ刃では、その前切れ刃の逃げ面は前逃げ面となり、前切れ刃を除く切れ刃が横切れ刃となり、その横切れ刃の逃げ面が横逃げ面となり、その逃げ角が横逃げ角となる。そして、このような平行な谷底のないねじ（例えば、谷底に平たん部のない三角ねじ）の加工に使用される切れ刃（横切れ刃）の逃げ面は、実質的にその全体が横逃げ面となり、したがって、その全体に逃げ角が付けられるべきである。
【先行技術文献】
【特許文献】
【０００８】
【特許文献１】国際公開第２０１１／０７８３６５号
【発明の概要】
【発明が解決しようとする課題】
【０００９】
一方、切れ刃をなす横逃げ面（単に、逃げ面ともいう）に、横逃げ角（単に、逃げ角ともいう）を付けるということは、逃げ面とで切れ刃を形成するすくい面（インサートの表面）からインサートの裏面（底面）に向かうにしたがい、逃げ角の角度分、逃げ面は切削インサートの内方に控えることになる（図９−Ｄ参照）。結果、すくい面側から見たときの切れ刃の幅（ねじ溝方向の幅）がインサートの裏面に向かうにしたがい狭くなるから、切れ刃強度が低下する。このため、断続切削となるスレッドワーリング加工では、切れ刃にカケ（欠損）が生じやすい。その上、逃げ角を付けた場合には、その形状、構造上、切れ刃はインサートの一側面部（寄り部位）においてその表裏のうち、一方（片面）にしか設けることはできない。すなわち、ねじ切り用の切削インサートにおける切れ刃は、ネガの逃げ角の例えば外径加工用の切削インサートのようにその表裏の両面に（２箇所）設けることはできない。
【００１０】
こうした中、本願発明者において、スレッドワーリング加工によるねじ切りにおいて、横逃げ面への横逃げ角の付与が、加工面精度の向上に実際のところ、どれだけ役立っているのかについて、横逃げ角が適度（５度）に付けられたものと、横逃げ角が０度のものとしたサンプルで試験ねじ加工等を行い、検証した。結果は、全くの予測外であり次のようであった。というのは、その２者において、加工面精度（仕上げ面の良好さ）には殆ど差が無いということであった。つまり、このようなスレッドワーリング加工によるねじ加工では、横逃げ面の逃げ角が無い（０度の）場合でも、加工面精度には実質的な悪影響がでないことが確認された。
【００１１】
本願発明者において試験加工を繰り返した結果等からして、その理由は次のように考えられる。図１０を参照しながら説明する。図１０は、スレッドワーリング加工方法で、断続切削をする切削インサート１０の切れ刃（刃先）２１の回転軌跡（円軌道Ｈｋ）と、軸部材１００との位置関係等を説明する、軸部材が送られて進む方を見た模式図である（円軌道Ｈｋのリード角分の傾斜は省略してある）。Ｄｉ（破線）は、加工される軸部材１００のねじの谷の径を示す円で、Ｄｏはねじの外径を示す円であり、図中の円弧矢印は、それぞれの回転方向である。スレッドワーリング加工では、上述したように、ねじが形成される軸部材１００のねじの谷の径の円Ｄｉ、すなわち、谷底に向けて、切れ刃２１が、その谷の径の円Ｄｉの１か所部分（図１０の上部）において、相対的に大きい円軌道Ｈｋにおける内接状態で切り込まれ、そして、そのねじ山の高さ分の切り込みとなった後は、谷の径の円（谷底）Ｄｉから離れようとする切り上がりを伴う円軌道（運動軌跡）Ｈｋで周回する。一方、切削は軸部材１００の外周の一部の断続切削であり、これの高速の繰返しであり、連続切削となる旋削によるねじ切りとは全く異なる切削状態にある。すなわち、スレッドワーリング加工によってねじ加工をする際には、通常の連続切削によるねじ加工とは全く異なる上述したような切れ刃２１の円軌道Ｈｋによる一部（微小部分）に対する断続切削となることから、横逃げ角（図９の横逃げ角α）が０度であるとしても、ねじの加工面精度の低下を招かないと考えられる。より詳しくは次のようである。
【００１２】
スレッドワーリング加工によるねじ加工では、上述したように、軸部材１００に１回の低速回転で１リード分の送りをかけながら、ねじ加工装置における一定位置において、その軸部材の外周面の１か所で、ねじ山の高さ分の切り込みが付与される設定で切れ刃２１を、リード角分の傾斜の付与の下で高速回転させ、螺旋に連なるねじ溝の切削を進行させることになる。そして、１つの切れ刃２１による被削部は１か所部分であり、そこを高速回転により断続切削することになる。すなわち、１つの切れ刃２１が、ねじ山分の切り込み量でその１か所部分を切削するのは微小部分であり、その切削方向と同方向への低速回転を伴う横送（微量回転横送り）により、続く被削部も微小部分である。このため、ここを切削する切れ刃（切れ刃が複数であれば、次の切れ刃）２１は、それ以前に加工された１か所部分に続く被削部（ねじの谷として切削される未加工部分）に向かって切り込むことになって、その被削部における微小部分を切削する。そして、その微小部分の切削後の切れ刃は、前の切れ刃により加工済みのねじ山部分を加工した方向に向かうものの、そのねじ山（ねじ溝）部分の谷底（谷の径の円Ｄｉ）から離れて切り上がるような動きとなる。したがって、切れ刃２１は、加工済みのねじ溝（前の切削で加工済みとなったねじ山部位の斜面）に接触しないような動きとなる。これは、ねじの谷の径の円Ｄｉが、切れ刃２１の回転軌跡（Ｄｉより大きい円軌道Ｈｋ）に内接することからも理解される（図１０参照）。
【００１３】
すなわち、スレッドワーリング加工によるねじ加工では、１つの切れ刃により、ねじ溝（螺旋溝）となるべき微小部分の断続切削を、高速回転で次々と進めていくことになるから、切れ刃の横逃げ面に逃げ角（横逃げ角）がなく、その横逃げ面が加工面に接触するといっても微小部分の断続切削であり、瞬時のため、加工面精度の低下を招くまでには至らない。また、その微小部分の切削後の切れ刃は、前述したように、前の切れ刃で加工済みのそのねじ山部分の谷底（谷の径の円Ｄｉ）から切り上がる動きとなるから、加工済みのねじ山部分の加工面（斜面）に接触しないため、加工面を荒らすこともない。以上のように考えられる。
【００１４】
本発明は、かかる知見に基づいてなされたもので、スレッドワーリング加工で、おねじを形成するのに、加工面精度における問題もなく、加工コストの低減を図ることのできるねじ切り用の切削インサートを提供することを目的としてなされたものである。
【課題を解決するための手段】
【００１５】
請求項１に記載の発明は、軸部材の外周面に、該軸部材の軸線を通る断面において、ねじ山の幅方向の中心軸線に関して左右対称のねじ山を備えるねじを形成する切れ刃を備えるねじ切り用の切削インサートであって、
前記切れ刃を、切削インサートの一側面部側の表裏の両面にすくい面があり、該一側面部にその両すくい面をつなぐ方向において凹凸がなく連続する面である共通の逃げ面があり、かつその横逃げ面の逃げ角を０度として、該一側面部において表裏の両面にすくい面を有するものとして、２つ備えるものとしたことを特徴とする、スレッドワーリング加工によるねじ切り用の切削インサートである。
【００１６】
請求項２に記載の発明は、前記２つ切れ刃は、切れ刃形状及びすくい角が同じものであることを特徴とする請求項１に記載のスレッドワーリング加工によるねじ切り用の切削インサートである。
【００１７】
請求項３に記載の発明は、前記切れ刃は、すくい面において切れ刃の幅方向の中心において先後方向に引いた仮想直線に関して左右対称をなしていることを特徴とする請求項１又は２のいずれか１項に記載のスレッドワーリング加工によるねじ切り用の切削インサートである。
請求項４に記載の発明は、前記切削インサートは、すくい面側から見た該切削インサートの形状全体が、該切れ刃の幅方向の中心において先後方向に引いた仮想直線に関して左右対称をなし、該切削インサートはその表裏において同じ形状を呈していることを特徴とする請求項１〜３のいずれか１項に記載のスレッドワーリング加工によるねじ切り用の切削インサートである。
【００１８】
請求項５に記載の発明は、前記すくい面が、形成されるねじの谷を形成する切れ刃の先端から後方に向かうに従い低位となるポジのすくい角を有するものとされていることを特徴とする請求項１〜４のいずれか１項に記載のスレッドワーリング加工によるねじ切り用の切削インサートである。
請求項６に記載の発明は、請求項１〜５のいずれか１項に記載のスレッドワーリング加工によるねじ切り用の切削インサートを用いて、軸部材にスレッドワーリング加工によってねじ切りすることでおねじ部材を製造することを特徴とする、おねじ部材の製造方法である。なお、本発明における「おねじ部材」には、ボルト等の締結用のおねじ部材、タッピンねじのように相手部材にねじを切るようにしてねじ込まれるねじ部品のような代表的なねじ部材に限られず、ウォームギヤを構成する一方のウォーム（ウォームシャフト）のようなねじ構造部材も含まれるなど、外周面に一定の螺旋で隆起する一定の山（ねじ山）を有する軸部材が含まれる。
【発明の効果】
【００１９】
請求項１に係る本発明のスレッドワーリング加工によるねじ切り用の切削インサートでは、上記の構成を有しており、従来のねじ切り用の切削インサートとは全く異なり、横逃げ面における横逃げ角が０度（横逃げ角無し）のため、図９に示したようなポジの横逃げ角αを有する従来の切れ刃に比べて切れ刃強度のアップが図られる。さらに、上記２つの切れ刃を構成する逃げ面は、２つのすくい面をつなぐ方向において凹凸がなく連続する面であり、両すくい面に共通の逃げ面である。このため、表裏のいずれをすくい面とする切れ刃で切削（ねじ切り）する場合にも、２つの切れ刃を構成する各逃げ面が各すくい面側（各すくい面寄り部位）において一側面部に対し相対的に突出するような構造、すなわち、該一側面部のうちの２つの切れ刃（両すくい面）相互間に凹みを有するような構造のものと異なり、そのような凹みの無い分、切れ刃強度（刃先強度）を高めることができる。その上に、ねじ切り用の切削インサートとしては、切れ刃を、逃げ面を共通として表裏両面にすくい面を有し、前記一側面部に２つの切れ刃を備える従来にない構成を有するものであり、切れ刃の数が倍増されている。このため、このような請求項１に係る本発明の切削インサートを用いて、スレッドワーリング加工によってねじ加工をする際には、通常の連続切削によるねじ加工と異なり、切れ刃は上述したような円軌道の運動をしての微小部分の断続切削となることから、横逃げ角が０度であるとしても、ねじの加工面精度の実質的な低下を招くこともない。しかも、切れ刃強度のアップだけでなく、切れ刃数の倍増により、１切削インサートの寿命（１つの切削インサートによる加工可能数）を２倍以上に延ばすことができるため、加工面精度の実質的な低下もなく、その加工コストの大幅な低減が図られる。
【００２０】
結果、難削材で、ねじ山が高く、ねじ長が長く、通常の旋削によるねじ加工に不向きで、スレッドワーリング加工とせざるを得ないねじ部材のねじ加工においては際立って優れた効果が得られる。なお、上記構成の切削インサートの切れ刃の形成における刃付け（刃先を鋭利にするための切れ刃の研磨仕上）においては、従来同様、砥石を、逃げ面において切削インサートの表裏の両すくい面の間を往復動させる動きで研磨できる。これにより、その２つの切れ刃への刃付け工程におけるコストアップを招くこともないため、切削インサート自体の製造コストのアップを招くこともなく、２倍の切れ刃数を得ることができる。
【００２１】
本発明において、該軸部材の軸線を通る断面において、ねじ山の幅方向の中心軸線に関して左右対称のねじ山というのは、三角ねじ、台形ねじが代表例であり、ねじ山形状が該軸部材の軸線を通る断面において左右対称の形状をなすねじ山を意味する。すなわち、ここに「対称」とは、ねじの「呼び」から、該ねじ山（ねじ山又はねじ溝の角度）が左右対称とされるものを指称する。そして、ねじ山の幅方向の中心軸線に関して左右対称でないねじ山、すなわち、ねじ山形状が該軸部材の軸線を通る断面において左右対称の形状をなさないねじ山というのは、のこ刃ねじのようなねじにおけるねじ山である。このようなものでは、その非対称性により、切削インサートの表裏における切れ刃の置き換えでは、そのねじ加工をできないためである。これにより、切削インサートが例えば直方体（四角棒状）を基体（ベース）とするものである場合には、その長手方向の両端部の各端面を１側面とし、その各側面部において、表裏の両面側に切れ刃を形成できるため、従来のねじ切り用の切削インサートでは具体化できなかった４つの切れ刃（コーナ）を有する、スレッドワーリング加工によるねじ切り用の切削インサートを得ることができる。
【００２２】
前記本発明において、前記切れ刃は、少なくとも１つのねじ溝を形成する切れ刃形状を有するものであればよいが、例えば、２条ねじを１パスで加工したい場合には、１のねじ山を挟む２つのねじ溝を同時に形成できる総形状のものとしておけばよい。すなわち、多条ねじを１パスで加工したい場合には、その数に応じた切れ刃としておけばよい。なお、この切れ刃でも、１回転の送りを１ピッチ分とすれば、通常の１条ねじ加工にも使用できる。また、請求項２に記載の発明のように、前記２つ切れ刃（逃げ面を共通とする２つの切れ刃）は、切れ刃形状及びすくい角が同じものがよい。
【００２３】
そして、本発明の切削インサートの切れ刃は、請求項３に係る発明のように、すくい面において切れ刃の幅方向の中心において先後方向（ねじ山の高さ方向）に引いた仮想直線に関して左右対称をなしているのがよい。この場合においては、請求項４に係る発明のように、すくい面側から見た該切削インサートの形状全体が、該切れ刃の幅方向の中心において先後方向に引いた仮想直線に関して左右対称をなし、該切削インサートはその表裏において同じ形状を呈しているのがよい。このようにすれば、切れ刃の摩耗等により、切削インサートの表裏を変更（置き換え）したり、新品に交換する際のカッタ本体（ワーリングヘッド）への固定時においても、刃先位置は基本的に同じとできるから、その変更（交換）の段取りの簡易迅速が図られる。
【００２４】
請求項５に係る発明のように、前記すくい面が、形成されるねじの谷を形成する切れ刃の先端から後方に向かうに従い低位となるポジのすくい角を有するものでは、切れ味向上を確保しつつも、逃げ面も上記したように２つのすくい面をつなぐ方向において凹凸がなく連続する面である上に、横逃げ角は０度であるから、切れ刃強度の低下防止が図られる。すくい角は、被削材の材質やねじ形状等に応じて適宜に設定すればよい。ただし、難削材では、これをネガのすくい角となるようにしてもよい。
請求項６に係るおねじ部材の製造方法によれば、上述したことから明らかなように、加工面精度の問題もなく、また、切れ刃強度のアップも図られるから、加工面精度の実質的な低下もなく、その製造コストの低減が図られる。したがって、山の高いねじやねじ長の長いねじのように、通常の旋削によるねじ加工には不向きで、スレッドワーリング加工に向くおねじ部材の製造において、その効果には著しいものがある。
【図面の簡単な説明】
【００２５】
【図１】本発明に係る、スレッドワーリング加工によるねじ切り用の切削インサートの一実施形態例を説明する斜視図。
【図２】図１の切削インサートを６面の各面（矢印Ａ１−Ａ３）から見た図等であって、Ａは、すくい面側から見た図（矢印Ａ１から見た図）、Ｂは、横逃げ面を見通すように見た図（矢印Ａ２から見た図）、Ｃは、前逃げ面側から見た図（矢印Ａ３から見た図）、Ｄは、Ｂの上下方向の中央であるＳ１−Ｓ１断面図。
【図３】図１の切削インサートでスレッドワーリング加工するときの軸部材が送られて進む方を手前から見通したカッタの傾斜を省略した説明図、及びその要部の拡大図。
【図４】図３においてカッタの傾斜をつけて、上から見た図。
【図５】図４における２条ねじの加工状態を説明する図。
【図６】切れ刃形状の異なるねじ切り用の切削インサートの別例を説明する斜視図。
【図７】切れ刃形状の異なるねじ切り用の切削インサートの別例を説明する斜視図。
【図８】従来のねじ切り用の切削インサートの一例（三角ねじのねじ切り用の切削インサート）を説明する部分斜視図。
【図９】図８の切削インサートを各面（矢印Ａ１−Ａ３）から見た図等であって、Ａは、軸部材へのねじ加工を説明する、その切れ刃をすくい面側から見た図（矢印Ａ１から見た図）、Ｂは、横逃げ面を見通すように見た図（矢印Ａ２から見た図）、Ｃは、前逃げ面側から見た図（矢印Ａ３から見た図）、そして、Ｄは、Ａ，ＢのＳｂ−Ｓｂ断面図である。
【図１０】スレッドワーリング加工方法において断続切削をする切れ刃の回転軌跡を説明する、軸部材が送られて進む方を手前から見た模式図。
【発明を実施するための形態】
【００２６】
本発明のスレッドワーリング加工によるねじ切り用の切削インサートを具体化した実施の形態例について、図１〜図５を参照しながら説明する。ただし、本例の切削インサート（スローアウェイ切削インサート）１０は、形成するねじ（ねじ山）が、頂（頂部）がやや平坦な三角山（ねじ山の角度４０度）で、図５に示したように、このネジ山１０５は、軸部材１００の軸線Ｇｎを通る断面において左右対称（ねじ山１０５の幅方向の中心軸線Ｙｃに関して左右対称）ではあるが、ねじ溝が台形でねじ山よりリード方向の幅が広い２条ねじを１回の送りで加工するためのものである。このため、図１、図２に示したように、切れ刃２１をすくい面２３側から見たときのその形状（切れ刃形状）は、加工される１つのねじ山（三角ねじ山）１０５を挟む２つのねじ溝（台形ねじ溝）を同時に、転写状に形成できる２つの凸部２１ａ、２１ａを有する総形状のものとされている（図５参照）。これにより、切れ刃２１をなす２つの凸部２１ａ、２１ａ相互間のすくい面２３側から見たときの形状（切れ刃形状）、及び、その１つの凸部２１ａのすくい面２３側から見たときの形状（切れ刃形状）とも、それぞれの各幅方向の中心線（図示せず）に関して対称である（図２−Ａ参照）。なお、この切れ刃２１の幅方向の両端には、軸部材１００の先端に対する切れ刃の進入（切り込み）開始の円滑化等、及びねじ山の頂部をさらえるため、側端が丸められたサラエ刃２４を備えている（図２−Ａ等参照）。
【００２７】
このような切れ刃２１を備える本例の切削インサート１０は、図１、図２に示したように、図１において矢印Ａ３から見た形状が正方形又は長方形で延びる基体１１であって、その図示における上下面（表裏の平面）１２、１２と、この各面に直交して対向する横腹面（平面）１３、１３を有する四角棒形状をなす基体１１をベースにして、その基体１１の両方の端面において突出し、上述したような切れ刃形状の切れ刃２１を備える切れ刃部とからなっている。そして、本例では、この切れ刃部を、図１において矢印Ａ３から見た面（２面）を側面部１６とし、この各側面部１６を逃げ面２６とし、この逃げ面２６における逃げ角が切れ刃（刃先）２１のいずれの位置でも０度となる共通の逃げ面２６として、基体１１の表裏の各面１２、１２側において、すくい面２３を備えている。これにより、各側面部１６において、表裏の両面にすくい面２３，２３を有するものとして、上記したような２つの切れ刃２１を備えている。なお、本例の切削インサート１０においては、横逃げ面２６ａだけでなく、前逃げ面を含む全逃げ面２６において、その逃げ角が０度（逃げ角無し）とされている。すなわち、図８、図９に例示した切削インサート１０ｂにおける横逃げ面２６ａの横逃げ角α、及び前逃げ面２６ｍの前逃げ角βに相当する両逃げ角とも、０度とされている。
【００２８】
このような本例の切削インサート１０は、図２の各図（Ａ−Ｃ）において、それぞれ、中央縦線（図中の１点鎖線）に関して左右対称の形状を呈しており、中央横線（図中の１点鎖線）に関しても上下対称の形状を呈している。このため、図１の左右における各側面部１６、すなわち、逃げ面２６の形状、構造、及び各部の寸法は同じであり、また、図１の上下における表裏各面１２、１２の形状、構造、及び各部の寸法、そして、図１の対向する横腹面（平面）１３、１３の形状、構造、及び各部の寸法も同じである。
【００２９】
そして本例では、すくい面２３は、形成されるねじの谷を形成する切れ刃２１の先端から後方に向かうに従い、例えば、１５度の傾斜で低位となるように形成されており、切れ味の向上が図られている。このすくい面２３はその後端において基体１１の表面１２（裏面１２）に向けて、凹となす円弧（略四半（１／４）円弧）で切り上げられるように形成されており、断続切削のために本来的に切り屑は延びずに分断されるが、このすくい面２３を後方に流れる切り屑の処理性が高められるようにされている。
【００３０】
なお、前述したように、本例の切れ刃２１は、加工される１つのねじ山を挟む２つのねじ溝を同時に切削する切れ刃形状を呈しているため、この切れ刃２１をすくい面２３側から見たときの切れ刃形状は、その２つのねじ溝に対応する２つの凸部２１ａ、２１ａを有する凹凸をなしている。このため、この切れ刃２１を形成する逃げ面２６も、この２つの凸部２１ａ、２１ａに対応して、基体１１の表面１２と裏面１２の間において延びる凸条を呈しており、したがって、逃げ面２６はすくい面側から見て、切れ刃形状と同様の凹凸をなしているが、横逃げ面２６ａを含む逃げ面２６全体の逃げ角がいずれも０度となるように形成されている。このため、逃げ面２６は基体１１の上下面（表裏の平面）１２、１２に対し垂直をなしている。これにより本例のインサート１０は、前述したようなすくい角のすくい面２３のある範囲を除けば、逃げ面２６を上下方向のいずれの位置において上下面（表裏の平面）１２に平行に切断しても、逃げ面２６の輪郭は同一形状を呈するものであり（図２−Ｄ参照）、ねじ溝を形成する２つの凸部２１ａ、２１ａをなす切れ刃２１の幅方向の寸法も上下方向において同じである。すなわち、この切削インサート１０は、その一側面部（一つの側面部）１６側の表裏の両面１２，１２にすくい面２３があり、一側面部１６を、その両方（２つの）のすくい面２３，２３をつなぐ方向において凹凸もなく連続する面である共通の逃げ面２６としており、しかも、その横逃げ面２６ａを含む逃げ面２６全体の逃げ角を０度としている。なお、本例の切削インサート１０は、カッタ本体に対して止めねじで固定するよう形成されており、その基体１１の横腹面１３の中央に、そのいずれの面からでも止めねじを通せるよう、貫通穴１９が設けられている。
【００３１】
このような本例の切削インサート１０では、従来のねじ切り用の切削インサート１０とは全く異なり、横逃げ角が０度の切れ刃２１をなしているため、逃げ角を有する従来の切削インサートに比べ、横逃げ角が無い分、切れ刃２１の強度が高く、耐欠損性も高いものとなっている。その上に、ねじ切り用の切削インサート１０としては、表裏の両面１２，１２側にすくい面２３があって、側面部１６に共通の逃げ面２６があり、その一つの側面部１６に２つの切れ刃２１を備えるという、従来にない構成を有している。そして、２つの切れ刃２１を構成する逃げ面２６は、上下の両すくい面２３，２３をつなぐ方向において凹凸もなく連続する面をなしている。これにより、表裏のいずれをすくい面２３とする切れ刃２１で切削する場合にも、２つの切れ刃（両すくい面）相互間の逃げ面に凹みを有するような構造のものとは異なり、そのような凹みが無い分、切れ刃強度を高めることができる。このように、本例のねじ切り用の切削インサート１０では、従来のものに比べて、切れ刃２１の数が倍増されているため、その強度アップ作用も含め、１切削インサート１０の寿命（１つの切削インサートによる加工数）を確実に延ばすことができるため、ねじ切り加工コストの大幅な低減が図られる。
【００３２】
かかる切削インサート１０を用いて、スレッドワーリング加工をする場合には、図３、図４に示したように、従来同様に、これをその加工機械のカッタ本体２００にねじ山分の切り込みが得られるようにして固定し、カッタ本体２００にはリード角分の傾斜を付与する。そして、加工機械のスピンドル２１０に保持させた軸部材１００を上述したように低速の１回転で１リード（２条ねじのため２ピッチ）分の送りをかけながら、カッタ本体２００を傾斜軸Ｇｋ回りに高速回転させる。こうすることで、軸部材１００の外周面にねじ切り加工が行われ、ねじ山１０５が形成されるが、この加工においては、通常の連続切削によるねじ加工と異なり、切れ刃２１は、上述したように、大きい円軌道Ｈｋの回転運動での微小部分の断続切削となる（図３、図１０参照）。これにより、横逃げ角が０度であるとしても、ねじの加工面精度の実質的な低下を招くこともなく、２条ねじが１パスで得られる（図５参照）。結果、スレッドワーリング加工において、２条ねじのおねじ部材を低コストで得ることができる。
【００３３】
本例の切削インサート１０では、切れ刃２１は、サラエ刃２４を含め、左右対称であり、しかも、切削インサート１０自体も、上述したように、６面において、縦横のいずれにおいても対称形状とされているため、４つの切れ刃２１、又は切削インサート１０の交換における刃先位置の変更を招かない。よって、その交換の段取りが簡易となる。なお、スレッドワーリング加工において、カッタ本体への切削インサート１０の取付数は、加工条件に応じ、従来同様に適宜のものとすればよい。また本例の切削インサート１０を用いるスレッドワーリング加工において、１条ねじの加工をしたければ、送り（軸部材の１回転での送り）をそのリード（１ピッチ）にすることで、そのねじ切りができることは明らかである。
【００３４】
本発明の切削インサートにおける切れ刃は、通常の旋削によるねじ加工に使用する切削インサートと同様、少なくとも、１つのねじ溝を切る切れ刃形状を有するものでもよい。このため、上記例のようなねじ形状のねじ切りをする場合でも、図６に示したように、一側部１６に表裏の各面１２に、それぞれ、１つのねじ溝に対応する切れ刃２１を有する切削インサート１０ｂとしても具体化できる。なお、図６のものは、上記例における切削インサートが２つのねじ溝を同時に形成できる切れ刃形状を有するものである点においてのみ、相違するだけであり、他は上記例におけるものと異なる点はないため、同一又は対応する部位に同一の符号を付すに止める。ただし、このもので、２条ねじを形成するためには、１ピッチずらしての２パスとなる。
【００３５】
また、例えば、単純な三角ねじ（ねじ山が６０度、５５度等のねじ）の形成においては、図７に示したように、ねじ山角度に対応する刃先角（すくい面２３側から見たときの刃先の角度）を有する切れ刃（ノーズ）２１を備えた切削インサート１０ｃとすればよい。すなわち、三角ねじの形成において、単純にねじ溝を切削するだけのスレッドワーリング加工では、切削インサート１０ｃの一側面部１６を逃げ面２６とし、該逃げ面２６における横逃げ角が０度となる共通の逃げ面２６を有するものとして、その表裏の各面１２，１２に所定の刃先角のすくい面２３を備えるものとすることで、一側面部１６に２つの切れ刃２１を有するものとすればよい。そして、このような切れ刃２１とする場合には、その切れ刃（すくい面２３）２１を適度に大きくしておき、切り込み深さを変えることで、任意のねじ山の高さのねじ加工ができる。このため、軸部材（素材）の外径が、ねじの外径に仕上げられており、要求されるねじの精度が低くてもよいような加工条件の場合に好適である。
【００３６】
本発明のスレッドワーリング加工によるねじ切り用の切削インサートの切れ刃形状、寸法は、三角ねじ、台形ねじ、さらには丸ねじなど、加工すべきねじ形状に応じて適宜のものに設定すればよく、多条ねじの１パス加工用のものとする場合には、それに必要な刃先形状とすればよい。また、インサートの表裏間の寸法（切削インサートの厚み）についても、加工すべきねじ山のサイズ等に応じて適宜のものに設計すればよい。さらに、上記例では、四角棒をなす基体をベースにしてその基体の両方の端（２つの端部）側をそれぞれ一側面部として、その表裏（上下）に、ねじ形状に応じた切れ刃を有する切削インサートとして具体化したが、本発明はこれに限定されるものではなく、その要旨を逸脱しない範囲において適宜のものとして具体化できる。そして、切削インサートの材質は、製造すべきおねじ部材（被削材）の材質等に応じ適宜のものを選択して具体化すればよいことは明らかである。なお、右ねじ、左ねじにかかわらず本発明が適用できることも明らかである。
【符号の説明】
【００３７】
１０  スレッドワーリング加工によるねじ切り用の切削インサート
１２，１２  切削インサートの表裏の各面
１６  切削インサートの一側面部
２１  切れ刃
２３  すくい面
２６  共通の逃げ面
２６ａ  横逃げ面
１００  軸部材
１０５  ねじ山
Ｇｎ  軸部材の軸線
Ｙｃ  ねじ山の幅方向の中心軸線
【図１】
2018069442.tif 000003
【図２】
2018069442.tif 000004
【図３】
2018069442.tif 000005
【図４】
2018069442.tif 000006
【図５】
2018069442.tif 000007
【図６】
2018069442.tif 000008
【図７】
2018069442.tif 000009
【図８】
2018069442.tif 000010
【図９】
2018069442.tif 000011
【図１０】
2018069442.tif 000012